(57)【要約】      （修正有）【課題】装着の手間を低減し、衣紋抜きを設けた二部式の着物を提供する。【解決手段】二部式着物を、衣紋抜き１１を有する上衣と、衣紋抜きの下端が固定される下衣２０とから構成する。詳細には、下衣は、ウエスト部分にベルトを通す穴が形成された長方形状の布地からなる下衣本体と、装着者のウエストに巻きつけた状態の下衣本体の穴２１を通り、両端において下衣本体の両縁のそれぞれを挟む挟持固定具が設けられた伸縮性のある紐体からなるウエストベルト３０とからなり、衣紋抜きの下端とウエストベルトとを連結する連結部材３２により、衣紋抜きの下端と下衣とを固定する。【選択図】図５
0003183988.tif 000002
【実用新案登録請求の範囲】
【請求項１】
衣紋抜きを有する上衣と、
前記衣紋抜きの下端が固定される下衣とを
有する二部式着物。
【請求項２】
前記下衣は、
ウエスト部分にベルトを通す穴が形成された長方形状の布地からなる下衣本体と、
装着者のウエストに巻きつけた状態の前記下衣本体の前記穴を通り、両端において前記下衣本体の両側縁のそれぞれを挟む挟持固定具が設けられた伸縮性のある紐体からなるウエストベルトとからなり、
前記衣紋抜きの下端と前記ウエストベルトとを連結する連結部材により、前記衣紋抜きの下端と前記下衣とが固定されるものである
請求項１に記載の二部式着物。
【請求項３】
前記衣紋抜きの上端と前記上衣との接合部、前記衣紋抜きの下端と前記下衣との接合部の少なくとも一箇所は着脱可能に形成される請求項１又は２に記載の二部式着物。
【考案の詳細な説明】
【技術分野】
【０００１】
本考案は二部式の着物に関し特に衣紋抜きを有するものに関する。
【背景技術】
【０００２】
二部式の着物は、上衣と下衣とが分離しているので、装着が容易であるという利点を有する。この装着が容易であるという利点を生かすために多くの場合、上衣は面ファスナーなどで簡易に前身頃を留め、下衣は巻きスカートと同じ構造で紐により固定するような構造を有している。
【考案の概要】
【考案が解決しようとする課題】
【０００３】
ところで、二部式の着物においても衣紋抜きを設ける場合がある。衣紋抜きは、衣紋に上端が固定された帯状の布であり、下端側に通した紐を胴体に巻いて引っ張り結ぶこと衣紋を下方に引っ張るものである。
衣紋抜きは、簡易に衣紋が抜けるので便利である一方で、衣紋抜きのためだけに紐を前に回して結ぶことは、容易に装着できることが求められる二部式の着物においては装着に余計な手間がかかるため望ましくない。
本考案は、このような問題に鑑みて、衣紋抜きを設けた二部式の着物において、装着の手間を低減することを課題とする。
【課題を解決するための手段】
【０００４】
上記課題を解決するために、本考案は次のような構成を有する。
請求項１に記載の考案は、衣紋抜きを有する上衣と、前記衣紋抜きの下端が固定される下衣とを有する二部式着物である。
請求項２に記載の考案は、前記二部式着物において、前記下衣は、ウエスト部分にベルトを通す穴が形成された長方形状の布地からなる下衣本体と、装着者のウエストに巻きつけた状態の前記下衣本体の前記穴を通り、両端において前記下衣本体の両縁のそれぞれを挟む挟持固定具が設けられた伸縮性のある紐体からなるウエストベルトとからなり、前記衣紋抜きの下端と前記ウエストベルトとを連結する連結部材により、前記衣紋抜きの下端と前記下衣とが固定されるものである。
請求項３に記載の考案は、前記二部式着物において、前記衣紋抜きの上端と前記上衣との接合部、前記衣紋抜きの下端と前記下衣との接合部の少なくとも一箇所は着脱可能に形成されるものである。
【考案の効果】
【０００５】
請求項１に記載の考案は、衣紋抜きの長さを適切に設定することで下衣を装着することで衣紋が抜けるので別途衣紋を抜くために紐を前に回して結ぶ手間が不要となり、衣紋抜きを有しながら簡易に装着することができる。
請求項２に記載の考案は、下衣を構成する布地をウエストベルトで固定するとともにウエストベルトと衣紋抜きとを連結したので、下衣を構成する布地に連結のための加工を施す必要がなく、また、ウエストベルトの締め具合により衣紋抜きの量を適宜調節することができる。
請求項３に記載の考案は、前記衣紋抜きの上端と前記上衣との接合部、前記衣紋抜きの下端と前記下衣との接合部のうちの少なくとも一箇所を着脱可能とすることで、必要に応じて交換が可能であり、装着に際しても、いずれかの部分を分離しておき、装着しやすいタイミングで連結することで装着を容易にすることができる。
【図面の簡単な説明】
【０００６】
【図１】（ａ）は実施形態に係る二部式着物の上衣の平面図であり、（ｂ）は実施形態に係る二部式着物の上衣の前身頃を開いた状態の平面図である。
【図２】衣紋抜きを示す分解斜視図である。
【図３】実施形態に係る二部式着物の下衣の平面図である。
【図４】実施形態に係る二部式着物のウエストベルトの平面図である。
【図５】実施形態に係る二部式着物の装着状態を示す部分分解図である。
【図６】第一の変形例に係る二部式着物の上衣の分解図である。
【図７】第ニの変形例に係る二部式着物の上衣の前身頃を開いた状態の平面図である。
【考案を実施するための形態】
【０００７】
以下、本考案の実施の形態について、図面を参照しながら説明する。
図１（ａ）に本実施形態に係る二部式着物の上衣１０の平面図を示し、（ｂ）に当該上衣１０の前身頃を開いた状態を示す平面図を示す。上衣１０は基本的な構成は一般的な二部式着物の上衣と同じであり、前身頃が面ファスナー１２、１２で留められるように構成されている。なお、前身頃を留める方法は任意でありスナップボタン、かぎホック、紐等適宜変更が可能である。上衣１０には衣紋抜き１１が固定されている。図２に衣紋抜き１１の分解斜視図を示す。衣紋抜き１１は帯状の布を二つに折り返し、折り返した両端を互いに縫い合わせたものであり、縫い合わされた下端側は幅が狭く、上端側は幅が広くなるように形成されている。また、下端側は上下方向に４箇所一定間隔を置いて横に縫い合わせることで縦に並ぶ３つのループ１１ａ、１１ａ、１１ａが形成されている。さらに、衣紋抜き１１にはＳ字フック１１ｂが上方のフックをループ１１ａのいずれかに引っ掛けることで固定される。
【０００８】
図３に本実施形態に係る二部式着物の下衣２０の平面図を示す。下衣２０の本体は装着者のウエストから足首までの長さにほぼ等しい縦の長さを有し、装着者が前で合わせて巻ける程度の横の長さを有する長方形状の布により形成される。下衣２０には上縁近傍に後述するウエストベルト３０が通る穴２１が、装着したときに腰の左横に位置する場所に形成されている。
図４に本実施形態に係る二部式着物のウエストベルト３０の平面図を示す。ウエストベルト３０は伸縮性のある織りゴムで形成されたベルトであり、長さ調節ができるように形成されている。ウエストベルト３０の両端には狭持固定具となるサスペンダークリップ３１、３１が固定されている。また、ウエストベルト３０にはカラビナカンからなる連結金具３２が、ウエストベルト３０に移動可能に通るリングに固定されている。
【０００９】
次に、以上のような構成を有する二部式着物の装着方法について説明する。なお、装着に際しては、装着者は予め肌襦袢等の下着類を装着しているものとする。また、ウエストベルト３０は予め装着者のウエストに合わせて長さを調節しておき、さらに、衣紋抜き１１のＳ字フック１１ｂは、衣紋がうまく抜けるように、衣紋抜き１１の３つのループ１１ａのいずれか適当なものに装着者の身長に合わせて予め固定しておくものとする。各部分の連結関係を図５の分解図に示す。装着者は、まず、下衣２０の下前になる図２における右側の側縁上端にウエストベルト３０の一方のサスペンダークリップ３１を固定し、この状態で下衣２０を図２の右側が下前、左側が上前になるように腰に巻く。そして、固定されていないサスペンダークリップ３１を下衣２０の穴２１から通して、ウエストベルト３０を腰の後ろから回し、当該サスペンダークリップ３１を下衣２０の装着者の右側で上前になった側縁上端に固定する。これにより下衣２０の装着が完了する。次に、装着者は上衣１０を羽織り、ウエストベルト３０の連結金具３２を背中の中心近傍に位置合わせし、当該連結金具３２を上衣１０の衣紋抜き１１に固定されたＳ字フック１１ｂに引っ掛ける。なお、その後、上衣１０の前身頃を面ファスナーで固定し、必要に応じて帯を締めることで二部式着物の装着は完了する。
このように本実施形態に係る二部式着物は、ウエストベルト３０によって衣紋を抜くことができ、別途衣紋を抜く紐を胴体に縛る必要が無いので、装着を簡易に行うことができる。
【００１０】
なお、上記実施形態では、ウエストベルト３０と衣紋抜きの下端とを着脱可能としているが、着脱できる箇所は適宜変更が可能である。例えば、図６に衣紋抜き１１Ａを着脱可能に形成した上衣１０Ａの例を示す。図に示す衣紋抜き１１Ａには裏面上部に薄い板を曲げて形成したフック１１Ａａを固定する一方で、上衣１０Ａの衣紋に両端を留めたテープ１３を固定しておき、このテープ１３にフック１１Ａａを引っ掛けることで衣紋抜き１１Ａを上衣１０Ａに固定できるようになっている。なお、衣紋抜きと上衣の着脱方法は、これに限られるものではなく、安全ピン、面ファスナー、スナップボタン等適当な方法で着脱できるようにすることができる。また、図５に示す衣紋抜き１１Ａは、ウエストベルト３０Ａに連結金具を設けずに、衣紋抜き１１Ａの下端にサスペンダークリップ１４を固定しており、このサスペンダークリップ１４をウエストベルト３０Ａに挟むことで、衣紋抜き１１Ａとウエストベルト３０Ａとを連結固定するように形成している。このように衣紋抜きとウエストベルトとの着脱について、いずれか一方のみに連結具を設けても、双方に連結具を設けてもよく、連結方法もフック、クリップの他、スナップボタンや面ファスナー等適宜適用することができる。
【００１１】
さらに、図７に示す上衣１０Ｂように衣紋抜き１１Ｂの下端を延ばして衣紋抜き１１Ｂの直接ウエストベルト３０Ａを通すといったように、衣紋抜きとウエストベルトとを一体に形成するようにしてもよい。この場合、装着に際しては、下衣２０を装着する前に上衣を羽織っておくようにすればよい。
そして、上記実施形態では、ウエストベルトと衣紋抜きとを連結するようにしているが、衣紋抜きと下衣本体とを連結するようにしてもよい。この場合、下衣はウエストベルトで固定する必要はなく、従来の二部式着物の下衣のように紐により固定するようにしてもよい。
【符号の説明】
【００１２】
１０、１０Ａ、１０Ｂ  上衣
１１、１１Ａ、１１Ｂ  衣紋抜き
２０  下衣
３０  ウエストベルト
３２  連結金具
【図１】
0003183988.tif 000003
【図２】
0003183988.tif 000004
【図３】
0003183988.tif 000005
【図４】
0003183988.tif 000006
【図５】
0003183988.tif 000007
【図６】
0003183988.tif 000008
【図７】
0003183988.tif 000009